【手続補正書】
【提出日】平成20年3月12日(2008.3.12)
【手続補正１】
【補正対象書類名】特許請求の範囲
【補正対象項目名】全文
【補正方法】変更
【補正の内容】
【特許請求の範囲】
【請求項１】
処理テープに、墨字印刷を行う墨字印刷処理と、点字打刻を行う点字打刻処理と、墨字印刷および点字打刻を行う墨字点字複合処理と、から成るテープ処理を選択的に行うと共に、
前記墨字印刷処理に用いる処理テープを収容した墨字用カートリッジと、前記点字打刻処理および前記墨字点字複合処理に用いる処理テープを収容した点字用カートリッジと、を選択的に装着可能なカートリッジ装着部を備えたテープ処理装置であって、
前記墨字印刷処理モード、前記点字打刻処理モードおよび前記墨字点字複合処理モードのいずれかの処理モードを選択するモード選択手段と、
前記カートリッジ装着部に装着された、処理テープの種別を検出するテープ種別検出手段と、
前記テープ処理を開始する前に、前記テープ種別検出手段により検出されたテープ種別が前記モード選択手段で選択された処理モードに適合するテープ種別であるか否かを判断する判断手段と、
前記判断手段により適合しないテープ種別であると判断された場合にその旨報知する報知手段と、
を備えたことを特徴とするテープ処理装置。
【請求項２】
前記報知手段により適合しないテープ種別である旨を報知された後に、前記テープ処理を開始するか否かを選択可能な選択手段を、更に備えたことを特徴とする請求項１に記載のテープ処理装置。
【請求項３】
処理テープに、墨字印刷を行う墨字印刷処理と、点字打刻を行う点字打刻処理と、墨字印刷および点字打刻を行う墨字点字複合処理と、から成るテープ処理を選択的に行うと共に、
前記墨字印刷処理に用いる前記処理テープを収容した墨字用カートリッジと、前記点字打刻処理および前記墨字点字複合処理に用いる前記処理テープを収容した点字用カートリッジと、を選択的に装着可能なカートリッジ装着部を備えたテープ処理装置のテープ処理方法であって、
前記墨字印刷処理モード、前記点字打刻処理モードおよび前記墨字点字複合処理モードのいずれかの処理モードを選択するモード選択工程と、
前記カートリッジ装着部に装着された、処理テープの種別を検出するテープ種別検出工程と、
前記テープ処理を開始する前に、前記テープ種別検出手段により検出されたテープ種別が前記モード選択手段で選択された処理モードに適合するテープ種別であるか否かを判断する判断工程と、
前記判断手段により適合しないテープ種別であると判断された場合にその旨報知する報知工程と、
を備えたことを特徴とするテープ処理装置のテープ処理方法。
【請求項４】
前記報知工程により適合しないテープ種別である旨を報知された後に、前記テープ処理を開始するか否かを選択する選択工程を、更に備えたことを特徴とする請求項３に記載のテープ処理装置のテープ処理方法。
【請求項５】
コンピュータを、請求項１に記載のテープ処理装置における各手段として機能させるためのプログラム。
【手続補正２】
【補正対象書類名】明細書
【補正対象項目名】０００６
【補正方法】変更
【補正の内容】
【０００６】
本発明のテープ処理装置は、処理テープに墨字印刷を行う墨字印刷処理と、点字打刻を行う点字打刻処理と、墨字印刷および点字打刻を行う墨字点字複合処理と、から成るテープ処理を選択的に行うと共に、墨字印刷処理に用いる処理テープを収容した墨字用カートリッジと、点字打刻処理および墨字点字複合処理に用いる処理テープを収容した点字用カートリッジと、を選択的に装着可能なカートリッジ装着部を備えたテープ処理装置であって、墨字印刷処理モード、点字打刻処理モードおよび墨字点字複合処理モードのいずれかの処理モードを選択するモード選択手段と、カートリッジ装着部に装着された、処理テープの種別を検出するテープ種別検出手段と、テープ処理を開始する前に、テープ種別検出手段により検出されたテープ種別がモード選択手段で選択された処理モードに適合するテープ種別であるか否かを判断する判断手段と、判断手段により適合しないテープ種別であると判断された場合にその旨報知する報知手段と、を備えたことを特徴とする。
【手続補正３】
【補正対象書類名】明細書
【補正対象項目名】０００７
【補正方法】変更
【補正の内容】
【０００７】
本発明のテープ処理装置のテープ処理方法は、処理テープに、墨字印刷を行う墨字印刷処理と、点字打刻を行う点字打刻処理と、墨字印刷および点字打刻を行う墨字点字複合処理と、から成るテープ処理を選択的に行うと共に、墨字印刷処理に用いる処理テープを収容した墨字用カートリッジと、点字打刻処理および墨字点字複合処理に用いる処理テープを収容した点字用カートリッジと、を選択的に装着可能なカートリッジ装着部を備えたテープ処理装置のテープ処理方法であって、墨字印刷処理モード、点字打刻処理モードおよび墨字点字複合処理モードのいずれかの処理モードを選択するモード選択工程と、カートリッジ装着部に装着された、処理テープの種別を検出するテープ種別検出工程と、テープ処理を開始する前に、テープ種別検出手段により検出されたテープ種別がモード選択手段で選択された処理モードに適合するテープ種別であるか否かを判断する判断工程と、判断手段により適合しないテープ種別であると判断された場合にその旨報知する報知工程と、を備えたことを特徴とする。
【手続補正４】
【補正対象書類名】明細書
【補正対象項目名】０００８
【補正方法】変更
【補正の内容】
【０００８】
これらの構成によれば、装着されたカートリッジのテープ種別と、モード選択で選択されたモードに適合するテープ種別を比較し、テープ種別が適合しない場合にユーザに報知することができるため、墨字用テープと点字用テープの誤装着を防ぐことができ、更に、誤って装着された高価なテープを使うことがなくなりランニングコストを下げることが可能である。
【手続補正５】
【補正対象書類名】明細書
【補正対象項目名】０００９
【補正方法】変更
【補正の内容】
【０００９】
この場合、報知手段により適合しないテープ種別である旨を報知された後に、テープ処理を開始するか否かを選択可能な選択手段を、更に備えることが好ましい。
【手続補正６】
【補正対象書類名】明細書
【補正対象項目名】００１０
【補正方法】変更
【補正の内容】
【００１０】
この方法によれば、報知工程により適合しないテープ種別である旨を報知された後に、テープ処理を開始するか否かを選択する選択工程を、更に備えることが好ましい。
【手続補正７】
【補正対象書類名】明細書
【補正対象項目名】００１１
【補正方法】変更
【補正の内容】
【００１１】
これらの構成によれば、選択手段（選択工程）により、テープ種別が適合しない旨報知されたユーザが、テープ処理を開始するか否かを選択できるため、ユーザが作業時間の効率性、テープのランニングコストを判断した上で処理の続行を行うことが可能である。
【手続補正８】
【補正対象書類名】明細書
【補正対象項目名】００１５
【補正方法】変更
【補正の内容】
【００１５】
図１は、ラベル作成装置の閉蓋状態の外観斜視図であり、図２は、その開蓋状態の外観斜視図である。両図に示すように、ラベル作成装置１は、処理テープＴに対して墨字印刷を行うと共に、処理テープＴから得られたテープ片に対して点字打刻を行う装置本体１０と、処理テープＴおよびインクリボンＲを収容し、装置本体に着脱自在に装着されるテープカートリッジＣとを備えている。
【手続補正９】
【補正対象書類名】明細書
【補正対象項目名】００２５
【補正方法】変更
【補正の内容】
【００２５】
次に、図３を参照し、打刻ユニット８０の詳細な構成について説明する。図３（ａ）は打刻ユニット８０を上側から見た平面図であり、図３（ｂ）は打刻ユニット８０の断面図である。
打刻ユニット８０は、送りローラ６１に対しテープ送り方向の上流側に配設され、挿入した処理テープＴの下側に配設した打刻部８１と、打刻部８１に対向する位置に設けられた打刻受け部８２とで構成されている。打刻部８１は、点字（６点点字）を構成する６個の打刻凸部のうち縦列３個の打刻凸部に対応して配列された３個の打刻ピン４１と、３個の打刻ピン４１の打刻動作を進退自在に案内する打刻ピンガイド４５と、駆動源となる３個のソレノイド４７と、を有している。
【手続補正１０】
【補正対象書類名】明細書
【補正対象項目名】００２６
【補正方法】変更
【補正の内容】
【００２６】
打刻受け部８２は、３個の打刻ピン４１に対応する３個の受け溝４３が形成される。テープ送りユニット６０により、処理テープＴを送りながら、３個のソレノイド４７を駆動源として３本の打刻ピン４１を受け溝４３に向かって選択的に跳ね上げて打刻動作をさせ、処理テープＴにいわゆる６点点字の打刻凸部を形成する。打刻ピン４１の頭部４１ａは、打刻した処理テープの凸部の形状が角の丸まった円筒形となるように形成されている。また、各打刻ピン４１の後部は、アーム部材４６の一端が半固定的に接続している。このアーム部材４６には、その他端にソレノイド４７のプランジャー４８の先端部が回動可能に接続していると共に、その中間部を回動自在に支持する支持部材４９が設けられている。
【手続補正１１】
【補正対象書類名】明細書
【補正対象項目名】００３１
【補正方法】変更
【補正の内容】
【００３１】
この制御により、処理テープＴに対し様々な処理をすることが可能となる。例えば、処理テープＴに墨字印刷をし、切断して処理テープＴ（テープ片）を得て、点字を打刻して、墨字印刷および点字打刻の両方がなされている処理テープＴ（テープ片）を得ることはもちろんのこと、点字打刻をせず、墨字印刷のみを行って、切断し、処理テープＴ（テープ片）を得ることもできる。また、処理テープＴを切断して処理テープＴ（テープ片）を得て、点字打刻のみ（実際には、墨字印刷を一切行わない場合と、後述する点字打刻部への挿入方向を印刷する場合とがある。）行うこともできる。なお、処理後の処理テープＴ（テープ片）は、墨字点字複合ラベル、墨字ラベル、点字ラベルとして、それぞれ貼着対称物に貼着される。
【手続補正１２】
【補正対象書類名】明細書
【補正対象項目名】００３４
【補正方法】変更
【補正の内容】
【００３４】
図６は、処理テープＴを点字打刻部１５０へ挿入する際の、点字書式が下点字の場合（図６（ａ）参照）と、点字書式が上点字の場合（図６（ｂ）参照）と、を説明したものである。点字書式が上点字あるいは下点字のいずれの場合も、墨字印刷部１２０で墨字Ｐと指標情報領域Ｔｈとを印刷後に、指標情報領域Ｔｈの矢印に従って、ユーザにより処理テープＴを点字打刻部１５０に挿入される（図６（ａ）、図６（ｂ）参照）。
【手続補正１３】
【補正対象書類名】明細書
【補正対象項目名】００４６
【補正方法】変更
【補正の内容】
【００４６】
次に、レイアウト設定（Ｓ３０）では、テープ幅検出結果（Ｓ１１）および処理モード選択結果（Ｓ１３）に基づいて、主な設定として、処理テープＴ上における墨字印刷領域Ｐや点字打刻領域Ｂの相対位置や、各配置部の長さ（図外の印刷配置部長さ、打刻配置部長さ、共通配置部長さ等）など、一般的なテープ印刷装置やワープロ等と同様の設定が行われる。